(57)【要約】  インバータを具備する電力変換器に適用され、パルス幅変調を用いてインバータのスイッチング素子を制御する電力変換器の制御装置において、安定的なキャリア周波数の変更を可能とし、電流制御応答性とインバータ損失抑制との更なる両立を図ること。電流指令２および電流指令変化率１１ｂに応じてインバータ８のパルス幅変調に用いるキャリア周波数指令を設定するキャリア周波数設定部１１が設けられる。キャリア周波数設定部１１は、縦軸に表される電流指令と横軸に表される電流指令変化率とに応ずるキャリア周波数の情報をマッピングしたキャリア周波数マップ（Ａ）を有し、入力された電流指令２および当該入力された電流指令変化率１１ｂに対応するキャリア周波数マップ（Ａ）上のキャリア周波数の情報をスイッチングパターン演算部６に出力する。
2009090755.tif 000002
【特許請求の範囲】
【請求項１】
複数の半導体スイッチング素子で構成されたインバータを具備する電力変換器に適用され、パルス幅変調を用いて前記インバータのスイッチング素子を制御する電力変換器の制御装置において、
電流指令を発生する電流指令発生部と、
前記電流指令に基づいて前記インバータに接続される負荷に所望の電流を流すための電圧指令を生成する電流制御器と、
前記電流指令および前記電流指令の変化率に応じて前記インバータのパルス幅変調に用いるキャリア周波数指令を設定するキャリア周波数設定部と、
前記電圧指令および前記キャリア周波数指令に基づいて前記パルス幅変調を行いスイッチングパターン指令を演算するスイッチングパターン演算部と、
を備え、
前記キャリア周波数設定部は、直交軸の一方に表される前記電流指令と直交軸の他方に表される前記電流指令の変化率とに応ずるキャリア周波数の情報をマッピングした第１の二次元マップを有し、入力された電流指令および当該入力された電流指令の変化率に対応する前記第１の二次元マップ上のキャリア周波数の情報を前記スイッチングパターン演算部に出力する
ことを特徴とする電力変換器の制御装置。
【請求項２】
請求項１に記載のキャリア周波数設定部は、前記インバータの出力電力の周波数に応ずるキャリア周波数の情報をマッピングした第１の一次元マップを有し、前期第１の一次元マップから出力されるキャリア周波数情報を用いて前記第１の二次元マップから出力されるキャリア周波数の値を調整することを特徴とする請求項１に記載の電力変換器の制御装置。
【請求項３】
請求項１に記載のキャリア周波数設定部は、
電流制御応答指令に応ずるキャリア周波数の情報をマッピングした第２の一次元マップと、
前記第１の二次元マップから出力されるキャリア周波数指令に対応する電流制御応答指令補正信号に基づいて前記電流制御応答指令を補正するための電流制御応答指令補正信号を設定する電流制御応答指令補正信号設定部と、
を有し、
前記キャリア周波数設定部は、前記第２の一次元マップから出力されるキャリア周波数の情報を用いて前記第１の二次元マップから出力されるキャリア周波数の値を調整するとともに、前記電流制御応答指令補正信号を前記電流制御部に出力し、
前記電流制御部は、前記電流制御応答指令補正信号を用いて補正された電流制御応答指令に従って電流制御動作を行う
ことを特徴とする請求項１に記載の電力変換器の制御装置。
【請求項４】
請求項１に記載のキャリア周波数設定部は、
直交軸の一方に表される電流制御応答指令と直交軸の他方に表される前記インバータの出力電力の周波数とに応ずるキャリア周波数の情報をマッピングした第２の二次元マップと、
前記第１の二次元マップから出力されるキャリア周波数指令に対応する電流制御応答指令補正信号に基づいて前記電流制御応答指令を補正するための電流制御応答指令補正信号を設定する電流制御応答指令補正信号設定部と、
を有し、
前記キャリア周波数設定部は、前記第２の二次元マップから出力されるキャリア周波数の情報を用いて前記第１の二次元マップから出力されるキャリア周波数の値を調整するとともに、前記電流制御応答指令補正信号を前記電流制御部に出力し、
前記電流制御部は、前記電流制御応答指令補正信号を用いて補正された電流制御応答指令に従って電流制御動作を行う
ことを特徴とする請求項１に記載の電力変換器の制御装置。
【請求項５】
請求項１〜４に記載のキャリア周波数設定部は、
直交軸の一方に表される前記電流指令と直交軸の他方に表される前記電流指令の変化率との関係を表す軌跡を記録し、かつ、直交軸の前記一方における所定幅と前記他方における所定幅とによって決定される各領域内を前記軌跡が通過した回数をカウントし、当該カウントされたカウント値を記録した軌跡記録マップと、
前記軌跡記録マップから抽出されたカウント値に応じて前記第１の二次元マップにおけるキャリア周波数情報を変更する軌跡情報解析部と、
を備えたことを特徴とする請求項１〜４のいずれか１項に記載の電力変換器の制御装置。
【発明の詳細な説明】
【技術分野】
【０００１】
本発明は、複数の半導体スイッチング素子で構成されたインバータを具備する電力変換器に適用され、パルス幅変調（以下「ＰＷＭ」と記述）を用いて当該インバータのスイッチング素子を制御する電力変換器の制御装置に関するものである。
【背景技術】
【０００２】
電力変換器において、インバータを構成する半導体スイッチ素子をＰＷＭ制御するためのスイッチングパターンを計算する代表的な手法の一つとして、キャリア比較法がある。このキャリア比較法では、インバータへの電圧指令と、キャリア波との大小が比較され、スイッチング制御のためのオン・オフのパターンが決定される。なお、キャリア波としては、三角波が用いられることが多い。【０００３】
キャリア比較法を用いた電力変換器において、キャリア波の周波数(以下「キャリア周波数」と記述)は、電力変換器の特性を左右する重要なパラメータである。例えば、キャリア周波数を高く設定した場合には、インバータ出力電圧の精度・応答特性が向上し、負荷から発生する電磁騒音が減少するといった効果がある。その一方で、キャリア周波数を高く設定すると、半導体スイッチ素子のスイッチング損失が増加し、電磁ノイズが増加するといった問題も生起する。このため、インバータに接続される負荷の種類や、運転条件に合わせて適切なキャリア周波数を設定する必要がある。【０００４】
インバータに接続される負荷の電流制御を行う場合、キャリア周波数を上げ出力電圧の更新周期を早めることで高い電流制御応答が達成される。一方、高キャリア周波数のまま電流制御を継続すると、インバータのスイッチング損失が増加する。すなわち電流制御の高応答化とインバータの損失抑制はトレードオフの関係にあり、どちらかを優先してキャリア周波数を決定する必要がある。【０００５】
このような問題に対する技術として、例えば下記特許文献１に開示された技術がある。この特許文献１では、電流指令と検出電流との偏差（制御偏差）に応じてキャリア周波数を変更する技術が開示されている。具体的には、制御偏差が大きな場合には、キャリア周波数を上げて応答特性を向上させる制御が行われる。逆に、制御偏差が小さい、あるいはゼロの場合には、制御が良好に行われているという考え方に基づき、キャリア周波数を下げる制御が行われる。すなわち、制御応答が必要な場合にのみキャリア周波数を上げるという技術思想を有している。なお、この特許文献１では、さらに検出電流の変化率および電流指令の変化率を元に電流偏差の変化率に応じてキャリア周波数を変更する技術も開示されているが、目的とするところは同じである。【０００６】
【特許文献１】特開２００１−３７２４８号公報
【発明の開示】
【発明が解決しようとする課題】
【０００７】
上述のように、上記特許文献１に示される技術（以下「従来技術」という）では、インバータの損失抑制と電流制御応答との両立が可能となる。しかしながら、この従来技術には、つぎに述べる課題が存在していた。【０００８】
第１に、従来技術では、電流制御応答とインバータスイッチング損失との両立が十分達成されないという課題があった。この課題は、つぎのように説明することができる。インバータスイッチング損失は、電流に応じて値が変化するので、電流の絶対値が小さければ損失も小さくなり、キャリア周波数を上げ電流制御応答を向上させることが可能となる。しかしながら、従来技術の手法では、電流の制御偏差に応じてキャリア周波数を変更した場合には電流の大きさの情報が存在しなくなるため、この特徴を効果的に活用することができない。なお、従来技術では、キャリア周波数を変更する際に、電流指令やその変化率、検出電流やその変化率といった信号を参照するようにしているが、各々の信号を独立に参照してキャリア周波数を求め、それらを加算して実際に使用するキャリア周波数を決定するので、電力変換器の運転状況が十分に考慮されているとは言えない。【０００９】
第２に、従来技術では、検出電流やその変化率を参照するため、検出電流をサンプリングするタイミングがキャリア波（三角波）の頂点と同期しない電流制御系では、電流リプルやノイズの影響を受け、安定したキャリア周波数が設定できないという課題があった。この結果、目的の性能が達成されないばかりか、キャリア周波数の設定そのものが変動し、最悪の場合には、電流制御系が不安定化するという問題点を内在していた。【００１０】
本発明は、上記に鑑みてなされたものであって、キャリア周波数の変更を安定的に行うことができ、電流制御応答性とインバータ損失抑制との更なる両立を図ることができる電力変換器の制御装置を提供することを目的とする。
【課題を解決するための手段】
【００１１】
上述した課題を解決し、目的を達成するため、本発明にかかる電力変換器の制御装置は、複数の半導体スイッチング素子で構成されたインバータを具備する電力変換器に適用され、パルス幅変調を用いて前記インバータのスイッチング素子を制御する電力変換器の制御装置において、電流指令を発生する電流指令発生部と、前記電流指令に基づいて前記インバータに接続される負荷に所望の電流を流すための電圧指令を生成する電流制御器と、前記電流指令および前記電流指令の変化率に応じて前記インバータのパルス幅変調に用いるキャリア周波数指令を設定するキャリア周波数設定部と、前記電圧指令および前記キャリア周波数指令に基づいて前記パルス幅変調を行いスイッチングパターン指令を演算するスイッチングパターン演算部と、を備え、前記キャリア周波数設定部は、直交軸の一方に表される前記電流指令と直交軸の他方に表される前記電流指令の変化率とに応ずるキャリア周波数の情報をマッピングした第１の二次元マップを有し、入力された電流指令および当該入力された電流指令の変化率に対応する前記第１の二次元マップ上のキャリア周波数の情報を前記スイッチングパターン演算部に出力することを特徴とする。
【発明の効果】
【００１２】
本発明にかかる電力変換器の制御装置によれば、インバータのパルス幅変調に用いるキャリア周波数指令を設定するキャリア周波数設定部には、直交軸の一方に表される電流指令と直交軸の他方に表される電流指令の変化率とに応ずるキャリア周波数の情報をマッピングした第１の二次元マップが設けられ、キャリア周波数設定部は、入力された電流指令および当該入力された電流指令の変化率に対応する第１の二次元マップ上のキャリア周波数の情報をスイッチングパターン演算部に出力し、スイッチングパターン演算部は、電圧指令およびキャリア周波数設定部から出力されたキャリア周波数指令に基づいてパルス幅変調を行うためのスイッチングパターン指令を演算してインバータに出力するので、キャリア周波数の変更を安定的に行うことができ、電流制御応答性向上とインバータ損失抑制との更なる両立を図ることができるという効果を奏する。
【図面の簡単な説明】
【００１３】
【図１】図１は、本発明の実施の形態１にかかる電力変換器の制御装置の構成を示す図である。
【図２】図２は、電流指令変化率演算部１１ａの一例およびその出力特性を示す図である。
【図３】図３は、電流指令変化率演算部１１ａの図２とは異なる一例およびその出力特性を示す図である。
【図４】図４は、キャリア周波数マップの持つ意味を電流指令変化率の軌跡との関係を用いて説明する図である。
【図５】図５は、キャリア周波数マップの図４とは異なる例を示す図である。
【図６】図６は、本発明の実施の形態２にかかる電力変換器の制御装置の構成を示す図である。
【図７】図７は、本発明の実施の形態３にかかる電力変換器の制御装置の構成を示す図である。
【図８】図８は、本発明の実施の形態４にかかる電力変換器の制御装置の構成を示す図である。
【図９】図９は、本発明の実施の形態５にかかる電力変換器の制御装置の構成を示す図である。
【図１０】図１０は、軌跡記録マップの一例を示す図である。
【図１１】図１１は、軌跡記録マップを調整することで生成されたキャリア周波数マップの一例を示す図である。
【図１２】図１２は、電流指令および電流指令変化率を用いた軌跡記録マップの動作説明図である。
【符号の説明】
【００１４】
１  電流指令発生部
２  電流指令
３  検出電流信号
４  電流制御部
５  電圧指令
６  スイッチングパターン演算部
７  スイッチングパターン指令
８  電力変換器（インバータ）
９  電流検出器
１０  負荷
１１  キャリア周波数設定部
１１ａ  電流指令変化率演算部
１１ｂ  電流指令変化率
１１ｃ  キャリア周波数マップ（Ａ）
１１ｄ  キャリア周波数マップ（Ｂ）
１１ｅ  キャリア周波数更新信号
１１ｆ  キャリア周波数マップ（Ｃ）
１１ｇ  電流制御応答指令補正信号設定部
１１ｈ  電流制御応答指令補正信号
１１ｉ  キャリア周波数マップ（Ｄ）
１１ｊ  軌跡記録マップ
１１ｋ  軌跡情報解析部
１２  キャリア周波数指令
１３  座標変換部（回転座標から静止座標への変換）
１４  電圧指令（交流）
１５  座標変換部（静止座標から回転座標への変換）
１６  検出電流信号（座標変換後）
１７  位相・周波数発生部
１８  位相信号
１９  周波数信号
２０  電流制御応答設定部
２１  電流制御応答指令
２２  電流制御応答指令（補正後）
１１２  変化率演算フィルタ
１１３  絶対値演算部
１１５  ローパスフィルタ（ＬＰＦ）
【発明を実施するための最良の形態】
【００１５】
以下に添付図面参照して、本発明にかかる電力変換器の制御装置の実施の形態を詳細に説明する。なお、以下に示す実施の形態により本発明が限定されるものではない。【００１６】
実施の形態１．
（制御装置の構成）
まず、実施の形態１にかかる電力変換器の制御装置の構成、すなわち電力変換器を制御するための実施の形態１にかかる制御装置の構成について説明する。図１は、本発明の実施の形態１にかかる電力変換器の制御装置の構成を示す図である。なお、同図では、説明のため、インバータならびに、インバータに接続される負荷および電流検出器を併記している。【００１７】
図１において、本実施の形態にかかる制御装置は、電流指令発生部１、電流指令発生部１の出力信号を入力とする電流制御部４およびキャリア周波数設定部１１、ならびに電流制御部４の出力信号およびキャリア周波数設定部１１の出力信号を入力とするスイッチングパターン演算部６を備えて構成される。また、キャリア周波数設定部１１は、電流指令発生部１の出力信号を入力とする電流指令変化率演算部１１ａ、ならびに電流指令発生部１の出力信号および電流指令変化率演算部１１ａの出力信号を各入力とするキャリア周波数マップ１１ｃを備えて構成される。なお、インバータ８には、スイッチングパターン演算部６の出力信号が入力される。また、インバータ８と、このインバータ８によって駆動される負荷１０との間には電流検出器９が設けられており、電流検出器９によって検出された信号は、電流制御部４にフィードバックされるよう構成されている。【００１８】
（制御装置の動作）
つぎに、実施の形態１にかかる制御装置の動作について、図１の図面を参照して説明する。電流指令発生部１による電流指令２は、電流制御部４に入力される。また、電流制御部４には、検出電流信号３も入力され、電流制御部４は、所望の電流を負荷１０に流すための電圧指令５を生成してスイッチングパターン演算部６に出力する。スイッチングパターン演算部６は、入力された電圧指令５からパルス幅変調（ＰＷＭ）を行いスイッチングパターン指令７を生成してインバータ８に出力する。なお、本項で説明するスイッチングパターン指令７は、電圧指令とキャリア波との大小比較によってパターン生成を行う非同期ＰＷＭ方式を用いるものとする。インバータ８は、複数の半導体スイッチング素子で構成され、スイッチングパターン指令７に従って動作し、所望の電流を負荷１０に供給する。電流検出器９は、インバータ８から負荷１０に供給される電流を検出するとともに、検出した電流を電流制御部４にフィードバックする。キャリア周波数設定部１１は、電流指令２に基づき生成したキャリア周波数指令１２をスイッチングパターン演算部６に出力する。【００１９】
上記のように構成された制御系により、スイッチングパターン演算部６では、入力されたキャリア周波数指令１２に従ったキャリア波でスイッチングパターン指令７が生成されることになる。また、このような制御系とすることで、電流指令情報に基づくキャリア周波数の変更が可能となる。さらに、この制御系では、キャリア周波数指令１２の生成に検出電流信号３を用いていないので、電流制御動作がキャリア波に同期しない場合でも安定したキャリア周波数の変更が可能となる。なお、この制御系では、電流検出器９が検出した検出電流信号３を電流制御部４にフィードバックする構成について例示したが、例えば電流制御部４内にて負荷電流の推定が可能な場合には、検出電流信号３によるフィードバック情報は不要である。【００２０】
（キャリア周波数設定部の動作）
つぎに、キャリア周波数設定部１１の動作について図１〜図３の各図面を参照して説明する。なお、図２は、電流指令変化率演算部１１ａの一例および当該一例とする構成部の出力特性を示す図であり、図３は、電流指令変化率演算部１１ａの図２とは異なる一例および当該一例とする構成部の出力特性を示す図である。【００２１】
上述のように、キャリア周波数設定部１１は、電流指令変化率演算部１１ａと、キャリア周波数マップ１１ｃとを備えて構成される。電流指令変化率演算部１１ａは、入力された電流指令２の変化率を演算してキャリア周波数マップ１１ｃに出力する。キャリア周波数マップ１１ｃは、入力された電流指令２および当該電流指令２の変化率に基づいて、キャリア周波数指令１２を生成して出力する。なお、キャリア周波数マップ１１ｃには、直交軸の一方（図１の例では縦軸）に表される電流指令と、直交軸の他方（図１の例では横軸）に表される電流指令変化率と、に応ずるキャリア周波数情報をマッピングした二次元マップであるキャリア周波数マップ（Ａ）（第１の二次元マップ）が保持されている。なお、これ以後の説明において、キャリア周波数マップ１１ｃに保持されたキャリア周波数マップ自身に言及する場合には、キャリア周波数マップ（Ａ）として記述する。【００２２】
なお、電流指令変化率演算部１１ａによる電流指令変化率の演算は、微分動作となるので、ときには、過大な信号が発生する虞がある。そこで、本制御装置を電力変換器に実装する上で、過大な信号の発生が望ましくない場合は、特定の周波数以上ではゲインがカットされるようなフィルタを用いることが好ましい。この好ましいフィルタの例として、例えば下記（１−１）式のような伝達関数を有するフィルタを用いることができる。【００２３】
Ｇ(ｓ)＝ｓ／（１＋Ｔ・ｓ）…（１−１）
なお、上式における「Ｔ」は帯域を決定するパラメータであり、「ｓ」はラプラス変数である。【００２４】
このとき、電流指令変化率演算部１１ａは、図２（ａ）に示されるような変化率演算フィルタ１１２を有する構成となり、この電流指令変化率演算部１１ａによって得られる電流指令変化率の波形は、例えば図２（ｂ）に示されるような波形となる。【００２５】
また、電流指令変化率演算部１１ａは、図３（ａ）に示されるように、変化率演算フィルタ１１２に加え、絶対値演算部１１３およびローパスフィルタ（以下「ＬＰＦ」と表記）１１４を備えるように構成してもよい。電流指令変化率演算部１１ａにおいて、変化率演算フィルタ１１２で電流指令変化率を求めた後、絶対値演算部１１３で電流指令変化率の絶対値を演算し、さらにＬＰＦ１１４でローパスフィルタ処理を実行する。この電流指令変化率演算部１１ａによれば、例えば図３（ｂ）に示すような振動気味の電流指令が入力された場合であっても、安定した電流指令変化率の算出が可能となる。【００２６】
（キャリア周波数マップ）
つぎにキャリア周波数マップについて図４および図５を用いて説明する。ここで、図４は、キャリア周波数マップの持つ意味を電流指令変化率の軌跡との関係を用いて説明する図であり、図５は、キャリア周波数マップの図４とは異なる例を示す図である。【００２７】
上述のように、キャリア周波数マップ１１ｃは、電流指令および電流指令の変化率に基づいて、キャリア周波数指令を出力する。この際、図４に示されるキャリア周波数マップ上のキャリア周波数がキャリア周波数指令として出力される。なお、図４の例では、電流指令および電流指令の変化率の値に応じて２種類のキャリア周波数ｆｃ１，ｆｃ２（ｆｃ１＜ｆｃ２）を選択することができる。【００２８】
ところで、電力変換器において、一般的な電流制御を行う場合、電流指令変化率が小さければ低電流制御応答でも問題ない。このため、キャリア周波数は、低く設定できる。一方、電流が小さければスイッチング損失も小さくなるので、キャリア周波数は高く設定できる。この考え方に基づいたキャリア周波数マップを設定したものが、例えば図４である。例えば、図２（ｂ）のような電流指令の場合、図４に併記した軌跡を辿ることとなる。図４に示すキャリア周波数マップによれば、電流指令変化率が大きい場合に高いキャリア周波数ｆｃ２を設定できる。一方、電流指令が大きい領域では、低いキャリア周波数ｆｃ１を設定できるので、高電流制御応答とインバータ損失抑制とが実現できる。なお、図４では、選択可能なキャリア周波数を２種類としたが、選択可能なキャリア周波数をより増やしてもよい。【００２９】
また、例えば図５では、電流制御応答指令が大きい領域において、さらに高いキャリア周波数（ｆｃ２＜ｆｃ３）の割り当てを可能としている。図５のキャリア周波数マップによれば、３種類のキャリア周波数（ｆｃ１＜ｆｃ２＜ｆｃ３）の中から所望の一つを選択することができる。【００３０】
また、図４および図５の例では、キャリア周波数を段階的に変更するキャリア周波数マップを示したが、キャリア周波数の切り替えが連続的になるように制御してもよい。この制御により、キャリア周波数の変更に伴う電流の乱れやインバータ動作音の変化を軽減することができる。【００３１】
以上説明したように、本実施の形態にかかる電力変換器の制御装置によれば、電流指令情報に応じたキャリア周波数の設定が可能となる。この制御により、インバータスイッチング損失の削減および高電流制御応答性向上の両立を実現することができる。また、電流指令情報を用いるとともに、電流指令と電流指令の変化率とを関係づけたキャリア周波数マップを用いた制御を行っているので、検出電流のサンプリングがキャリア波に同期しない場合でも安定したキャリア周波数の変更が可能となる。【００３２】
なお、この実施の形態では、スイッチングパターン指令７を非同期ＰＷＭ方式に適用するとして説明してきたが、電圧指令５に同期したスイッチングパターン演算を行う同期ＰＷＭ方式にも適用することができる。例えばキャリア周波数の代わりに電圧指令５の一周期におけるパルス数を設定することで、同期ＰＷＭ方式に適用することができ、適切なスイッチング設定の実施が可能となる。【００３３】
実施の形態２．
図６は、本発明の実施の形態２にかかる電力変換器の制御装置の構成を示す図である。特に、本実施の形態では、本実施の形態の効果をよりよく説明するため、負荷１０は、例えば交流モータなどの交流負荷を想定する。また、負荷１０を交流負荷としているため、本実施の形態では、図１に示す実施の形態１の構成において、さらに座標変換部１３，１５を設けるようにしている。その他、位相・周波数発生部１７を設けている点、およびキャリア周波数設定部１１にキャリア周波数マップ１１ｄを設けている点についても実施の形態１との相違点である。なお、その他の構成については、図１の構成と同一または同等であり、それらの構成部には同一の符号を付して示している。【００３４】
検出電流信号３は、座標変換部１５によって２軸直交回転座標上の検出電流信号１６に変換されて電流制御に使用される。電圧指令５も同様に座標変換部１３によって交流の電圧指令１４に変換されてスイッチングパターン演算に用いられる。位相・周波数発生部１７は、位相信号１８および周波数信号１９を出力する。位相信号１８は、座標変換に用いられる。周波数信号１９は、位相信号１８を微分した信号に相当する。以後、説明の便宜上、位相・周波数発生部１７が出力する周波数信号１９の周波数を基本周波数とする。すなわち、インバータ８が供給する電力の周波数は、この基本周波数となる。【００３５】
（キャリア周波数設定部の動作）
つぎに、実施の形態２にかかるキャリア周波数設定部１１の動作について図６を参照して説明する。実施の形態２にかかる制御装置では、図１に示す実施の形態１とは異なり、キャリア周波数設定部１１に周波数信号１９が入力される構成となっている。一般的に、交流負荷に電力を供給する場合、キャリア周波数は基本周波数より十分高く設定する必要があることが知られている。もし、十分なキャリア周波数が得られない場合、電流制御系が不安定化したり、交流負荷に余分な高周波電流が流れ交流負荷の損失やインバータの損失が増加したりするといった問題が発生する。このため、キャリア周波数を設定する際に、基本周波数の情報を反映させることが好ましい構成となる。【００３６】
図６では、その一例としてキャリア周波数が３種類選択できる場合のキャリア周波数設定部１１の構成を示している。上述のように、電流指令変化率演算部１１ａおよび、キャリア周波数マップ（Ａ）を有するキャリア周波数マップ１１ｃは、実施の形態１において説明したものと同一または同等である。また、本実施の形態２においては、キャリア周波数マップ１１ｄが新たに追加されている。なお、以後の説明において、キャリア周波数マップ１１ｄに保持されたキャリア周波数マップ自身に言及する場合には、キャリア周波数マップ（Ｂ）として記述する。【００３７】
キャリア周波数マップ１１ｄは、周波数信号１９を入力とし、キャリア周波数更新信号１１ｅを出力する動作部であり、キャリア周波数マップ１１ｄには、一次元のマップ（第１の一次元マップ）であり、ｆｃ１〜ｆｃ３の設定情報が記載されたキャリア周波数マップ（Ｂ）が保持されている。キャリア周波数更新信号１１ｅは、キャリア周波数マップ１１ｃ（キャリア周波数マップ（Ａ））におけるキャリア周波数選択肢ｆｃ１，ｆｃ２，ｆｃ３（ｆｃ１＜ｆｃ２＜ｆｃ３）の値である。すなわち、電流指令２および電流指令変化率１１ｂに基づきキャリア周波数マップ（Ａ）上の３種類のキャリア周波数の中から一つのキャリア周波数が選択されるが、その値は、キャリア周波数マップ（Ｂ）によって決定される。【００３８】
上記のように構成された制御系により、基本周波数を反映させたキャリア周波数の設定が可能となる。また、このような制御系とすることで、基本周波数に応じた電流制御系の安定性を確保することができ、インバータ８の損失や負荷１０の損失またはその合計が最小化するようなキャリア周波数の設定が可能となる。【００３９】
以上説明したように、本実施の形態にかかる電力変換器の制御装置によれば、電流指令情報および基本周波数に応じたキャリア周波数の設定が可能となる。この制御により、交流モータのような交流負荷に電力を供給する場合に、インバータスイッチング損失の削減および高電流制御応答性向上の両立はもとより、電流制御の安定性をも確保することが可能となる。【００４０】
なお、この実施の形態では、キャリア周波数マップ１１ｄから出力されるキャリア周波数更新信号１１ｅが、キャリア周波数マップ（Ａ）におけるキャリア周波数選択肢ｆｃ１，ｆｃ２，ｆｃ３の値として説明したが、必ずしも選択肢の値である必要はなく、キャリア周波数更新信号１１ｅとして示される値に基づき、その値に最も近いものをキャリア周波数マップ１１ｃ側で選択するような制御系であってもよいことは無論である。【００４１】
実施の形態３．
図７は、本発明の実施の形態３にかかる電力変換器の制御装置の構成を示す図である。本実施の形態は、電流制御系の応答特性を所定値に保持しつつ、キャリア周波数を低減することでインバータのスイッチング損失を削減する実施の形態を示すものである。【００４２】
本実施の形態では、図１に示す実施の形態１の構成に加えて、さらに電流制御応答設定部２０を設けるとともに、キャリア周波数設定部１１内にキャリア周波数マップ１１ｆおよび電流制御応答指令補正信号設定部１１ｇを設けるようにしている。なお、その他の構成については、図１の構成と同一または同等であり、それらの構成部には同一の符号を付して示している。【００４３】
電流制御応答設定部２０は、制御装置全体の動作状況等に応じた適切な電流制御応答指令２１を設定して出力する。この電流制御応答指令２１は、キャリア周波数設定部１１に入力され、キャリア周波数の設定に用いられる。また、電流制御応答指令２１は、電流制御部４を制御するための電流制御応答指令としても用いられる。ただし、電流制御応答指令２１そのものが電流制御部４に入力されるのではなく、キャリア周波数指令１２に応じて補正された補正後の電流制御応答指令２２が電流制御部４に入力される構成となっている。【００４４】
（キャリア周波数設定部の動作）
つぎに、実施の形態３にかかるキャリア周波数設定部１１の動作について、図７を参照して説明する。図７において、キャリア周波数マップ１１ｆは、一次元のマップ（第２の一次元のマップ）であり、例えばｆｃ１，ｆｃ２（ｆｃ１＜ｆｃ２）の２種類のキャリア周波数が記載されたキャリア周波数マップ（Ｃ）を保持している。なお、キャリア周波数マップ（Ａ）およびキャリア周波数マップ（Ｂ）のときと同様に、キャリア周波数マップ１１ｆに保持されたキャリア周波数マップ自身に言及する場合には、キャリア周波数マップ（Ｃ）として記述する。【００４５】
ここで、キャリア周波数ｆｃ２を元々の電流制御応答指令２１を満足するキャリア周波数に設定すれば、電流指令変化率が高い場合に所定の電流制御応答特性が得られる。一方、電流指令変化率が低い場合には、所定の電流制御応答特性が要求されていない状況と判断することができる。このとき、低いキャリア周波数ｆｃ１を使用することで、インバータ８のスイッチング損失を削減することができる。ただし、低いキャリア周波数ｆｃ１を選択するときに過剰な電流制御応答指令とならないよう、留意する必要がある。そこで、この実施の形態では、キャリア周波数マップ１１ｃの出力であるキャリア周波数指令１２に応じて電流制御応答指令補正信号１１ｈを出力する電流制御応答指令補正信号設定部１１ｇを用いるとともに、元々の電流制御応答指令２１から電流制御応答指令補正信号１１ｈの減算を行って電流制御部４に出力するようにして、低いキャリア周波数ｆｃ１が選択されたときに、過剰な電流制御応答指令とならないようにしている。【００４６】
以上説明したように、本実施の形態にかかる電力変換器の制御装置によれば、電流制御系の応答特性を所定値に保持しつつ、キャリア周波数を低減することで、インバータのスイッチング損失の削減が可能となる。例えば負荷１０が、位置や速度の制御を要求されるアクチュエータやモータである場合、電流指令発生部１には位置制御系や速度制御系が含まれる。この場合、下位ループとなる電流制御系の応答特性が所定値を維持できるものであれば、上位ループである位置制御系および速度制御系の設計が容易になる。【００４７】
実施の形態４．
図８は、本発明の実施の形態４にかかる電力変換器の制御装置の構成を示す図である。図６に示す実施の形態２では、電流指令情報を基本として、基本周波数情報を用いてキャリア周波数を設定する手法について説明した。また、図７に示す実施の形態３では、電流指令情報を基本として、電流制御応答指令情報を併せて用いてキャリア周波数を設定する手法について説明した。これらの基本周波数情報および電流制御応答指令情報は、無論併用して用いることも可能である。そこで、本実施の形態では、電流指令情報を基本として、基本周波数情報および電流制御応答指令情報をさらに用いる制御系を構成している。なお、図８では、３種類のキャリア周波数ｆｃ１，ｆｃ２，ｆｃ３（ｆｃ１＜ｆｃ２＜ｆｃ３）が選択できる制御系を一例として構成しており、図６および図７に示す構成と同一または同等である構成部には同一の符号を付して示している。【００４８】
図８において、キャリア周波数設定部１１には、３つのキャリア周波数マップＤ（ｆｃ１設定用、ｆｃ２設定用、ｆｃ３設定用）が設けられている。キャリア周波数マップ１１ｉは、直交軸の一方（図８の例では縦軸）に基本周波数として表される周波数信号１９と、直交軸の他方（図８の例では横軸）に表される電流制御応答指令２２と、に応ずるキャリア周波数情報をマッピングした二次元マップ（第２の二次元マップ）である。キャリア周波数マップ１１ｉでは、周波数信号１９および電流制御応答指令２１を入力とし、キャリア周波数マップＤが参照され、キャリア周波数マップ１１ｃ（すなわち、キャリア周波数マップ（Ａ））のｆｃ１〜ｆｃ３に割り当てるキャリア周波数値が決定される。なお、その他の各ブロックの動作は、実施の形態２，３で説明した動作と同一または同等であり、その詳細な説明を省略する。【００４９】
本実施の形態にかかる電力変換器の制御装置によれば、電流制御系の応答特性を所定値に保持しつつ、電流制御系の安定性を確保し、さらにキャリア周波数の低減を適切に行うことが可能となる。【００５０】
実施の形態５．
図９は、本発明の実施の形態５にかかる電力変換器の制御装置の構成を示す図である。図１に示す実施の形態１では、キャリア周波数設定部１１のキャリア周波数マップ１１ｃに、予めキャリア周波数マップ（Ａ）を設定する必要がある。実施の形態５では、このキャリア周波数マップ（Ａ）を自動的に設定・調整する手法について説明する。図９に示すキャリア周波数設定部１１では、図１に示す実施の形態１の構成に加えて、さらに軌跡記録マップ１１ｊおよび軌跡情報解析部１１ｋを設けるようにしている。なお、その他の構成については、図１の構成と同一または同等であり、それらの構成部には同一の符号を付して示している。【００５１】
つぎに、軌跡記録マップ１１ｊおよび軌跡情報解析部１１ｋの動作について、図９〜図１２の図面を参照して詳細に説明する。なお、図１０は、軌跡記録マップの一例を示す図であり、図１１は、軌跡記録マップを調整することで生成されたキャリア周波数マップの一例を示す図である。また、図１２は、電流指令および電流指令変化率を用いた軌跡記録マップの動作説明図である。【００５２】
軌跡記録マップ１１ｊは、直交軸の一方（図１０の例では縦軸）に表される電流指令と、直交軸の他方（図１０の例では横軸）に表される電流指令変化率と、の関係を表す軌跡の推移および当該軌跡の所定の領域における通過回数（滞留時間と同義）を記録（マッピング）した二次元マップである。なお、ここでいう所定の領域とは、図１０の破線部で囲まれるような、直交軸の一方側における所定幅と他方側における所定幅とによって決定される区域である。【００５３】
ここで、軌跡記録マップ１１ｊに入力される電流指令および電流指令変化率が、例えば図１２に示すような波形であったとすると、軌跡記録マップにおける軌跡の推移は、図１０（ａ）に示すものとなる。軌跡記録マップ１１ｊは、電流制御開始後、所定の期間Δｔ毎に軌跡記録マップ上の領域（破線部で囲まれる領域）を通過した回数（滞留時間に相当）を区間ごとにカウントする。なお、このとき生成された軌跡記録マップは、図１０（ｂ）に示すものとなる。【００５４】
図１０（ｂ）に示す例では、電流指令および電流指令変化率が共に小さい領域Ｒ１の通過回数は３であり、電流指令が小さく電流指令変化率が大きい領域Ｒ２の通過回数は２であり、電流指令が大きく電流指令変化率が小さい領域Ｒ４の通過回数は１１である。なお、このカウント値は、それぞれ図１２に示す各領域に対応する箇所（丸印）をカウントすることで得られる。ここで、電流指令が大きく電流指令変化率が小さい領域における通過回数が多ければ、その領域はキャリア周波数調整に適した領域となる。例えば、図１０（ｂ）に示す領域Ｒ４は、キャリア周波数調整に適した領域である。【００５５】
軌跡情報解析部１１ｋは、軌跡記録マップ１１ｊから前述のカウント値を抽出し、当該カウント値に応じてキャリア周波数マップ１１ｃに設けられたキャリア周波数マップ（Ａ）のキャリア周波数情報を変更する。【００５６】
図１１（ａ）は、調整前（変更前）のキャリア周波数マップ（Ａ）であり、全ての領域において、ある決められたキャリア周波数（同図の例では、５［ｋＨｚ］）に設定されている。一方、調整後のキャリア周波数マップ（Ａ）では、キャリア周波数変更に適した領域（同図の太線部で示される領域）では、調整前のキャリア周波数よりも小さい所定のキャリア周波数（同図の例では、４［ｋＨｚ］）に変更されている。なお、キャリア周波数の設定に関してであるが、一旦設定したキャリア周波数をΔｔより長い所定の期間で一度リセットし、カウント値を再度計算するようにしてキャリア周波数の再設定を行ってもよい。こうすることで、負荷の運転状況に柔軟に対応させた適切なキャリア周波数の設定が可能となる。【００５７】
以上説明したように、本実施の形態にかかる電力変換器の制御装置によれば、実際の運転を反映させたキャリア周波数マップを設定することができ、また、一旦設定したキャリア周波数マップを自動的に調整することができるので、キャリア周波数マップの設定および調整に要する労力の軽減が可能となる。例えば、電流制御を行う際に、電流指令および電流指令変化率の軌跡を記録するとともに、電流指令が大きく電流指令変化率が小さい領域の中で長時間に渡って滞留する領域を抽出して、キャリア周波数を下げる調整を自動的に行うことができる。【００５８】
なお、本実施の形態では、電流指令が大きく電流指令変化率が小さい領域において、キャリア周波数を下げる調整手法について示したが、この調整手法に限定されるものではない。これとは逆に、電流制御応答が必要な領域に対して、キャリア周波数を上げる調整を行ってもよい。【００５９】
また、本実施の形態では、キャリア周波数マップ（Ａ）を自動調整するための構成を実施の形態１のキャリア周波数設定部に適用する実施の形態について示したが、本構成を実施の形態２〜４に示すキャリア周波数設定部に適用してもよいことは無論である。
【産業上の利用可能性】
【００６０】
以上のように、本発明にかかる電力変換器の制御装置は、安定的なキャリア周波数の変更を可能とし、電流制御応答性とインバータ損失抑制との更なる両立を図ることができる発明として有用である。
【図１】
2009090755.tif 000003
【図２】
2009090755.tif 000004
【図３】
2009090755.tif 000005
【図４】
2009090755.tif 000006
【図５】
2009090755.tif 000007
【図６】
2009090755.tif 000008
【図７】
2009090755.tif 000009
【図８】
2009090755.tif 000010
【図９】
2009090755.tif 000011
【図１０】
2009090755.tif 000012
【図１１】
2009090755.tif 000013
【図１２】
2009090755.tif 000014
【手続補正書】
【提出日】平成22年2月1日(2010.2.1)
【手続補正１】
【補正対象書類名】特許請求の範囲
【補正対象項目名】全文
【補正方法】変更
【補正の内容】
【特許請求の範囲】
【請求項１】
複数の半導体スイッチング素子で構成されたインバータを具備する電力変換器に適用され、パルス幅変調を用いて前記インバータのスイッチング素子を制御する電力変換器の制御装置において、
電流指令を発生する電流指令発生部と、
前記電流指令に基づいて前記インバータに接続される負荷に所望の電流を流すための電圧指令を生成する電流制御器と、
前記電流指令および前記電流指令の変化率に応じて前記インバータのパルス幅変調に用いるキャリア周波数指令を設定するキャリア周波数設定部と、
前記電圧指令および前記キャリア周波数指令に基づいて前記パルス幅変調を行いスイッチングパターン指令を演算するスイッチングパターン演算部と、
を備え、
前記キャリア周波数設定部は、前記電流指令と前記電流指令の変化率とに応じたキャリア周波数を定義し、前記キャリア周波数の情報を前記スイッチングパターン演算部に出力する
ことを特徴とする電力変換器の制御装置。
【請求項２】
前記キャリア周波数設定部は、直交軸の一方に表される前記電流指令と直交軸の他方に表される前記電流指令の変化率とに応ずるキャリア周波数の情報をマッピングした第１の二次元マップを有し、入力された電流指令および当該入力された電流指令の変化率に対応する前記第１の二次元マップ上のキャリア周波数の情報を前記スイッチングパターン演算部に出力することを特徴とする請求項１に記載の電力変換器の制御装置。
【請求項３】
請求項２に記載のキャリア周波数設定部は、前記インバータの出力電力の周波数に応ずるキャリア周波数の情報をマッピングした第１の一次元マップを有し、前期第１の一次元マップから出力されるキャリア周波数情報を用いて前記第１の二次元マップから出力されるキャリア周波数の値を調整することを特徴とする請求項２に記載の電力変換器の制御装置。
【請求項４】
請求項２に記載のキャリア周波数設定部は、
電流制御応答指令に応ずるキャリア周波数の情報をマッピングした第２の一次元マップと、
前記第１の二次元マップから出力されるキャリア周波数指令に対応する電流制御応答指令補正信号に基づいて前記電流制御応答指令を補正するための電流制御応答指令補正信号を設定する電流制御応答指令補正信号設定部と、
を有し、
前記キャリア周波数設定部は、前記第２の一次元マップから出力されるキャリア周波数の情報を用いて前記第１の二次元マップから出力されるキャリア周波数の値を調整するとともに、前記電流制御応答指令補正信号を前記電流制御部に出力し、
前記電流制御部は、前記電流制御応答指令補正信号を用いて補正された電流制御応答指令に従って電流制御動作を行う
ことを特徴とする請求項２に記載の電力変換器の制御装置。
【請求項５】
請求項２に記載のキャリア周波数設定部は、
直交軸の一方に表される電流制御応答指令と直交軸の他方に表される前記インバータの出力電力の周波数とに応ずるキャリア周波数の情報をマッピングした第２の二次元マップと、
前記第１の二次元マップから出力されるキャリア周波数指令に対応する電流制御応答指令補正信号に基づいて前記電流制御応答指令を補正するための電流制御応答指令補正信号を設定する電流制御応答指令補正信号設定部と、
を有し、
前記キャリア周波数設定部は、前記第２の二次元マップから出力されるキャリア周波数の情報を用いて前記第１の二次元マップから出力されるキャリア周波数の値を調整するとともに、前記電流制御応答指令補正信号を前記電流制御部に出力し、
前記電流制御部は、前記電流制御応答指令補正信号を用いて補正された電流制御応答指令に従って電流制御動作を行う
ことを特徴とする請求項２に記載の電力変換器の制御装置。
【請求項６】
請求項２〜５に記載のキャリア周波数設定部は、
直交軸の一方に表される前記電流指令と直交軸の他方に表される前記電流指令の変化率との関係を表す軌跡を記録し、かつ、直交軸の前記一方における所定幅と前記他方における所定幅とによって決定される各領域内を前記軌跡が通過した回数をカウントし、当該カウントされたカウント値を記録した軌跡記録マップと、
前記軌跡記録マップから抽出されたカウント値に応じて前記第１の二次元マップにおけるキャリア周波数情報を変更する軌跡情報解析部と、
を備えたことを特徴とする請求項２〜５のいずれか１項に記載の電力変換器の制御装置。 
【手続補正２】
【補正対象書類名】明細書
【補正対象項目名】全文
【補正方法】変更
【補正の内容】
【発明の詳細な説明】
【技術分野】
【０００１】
本発明は、複数の半導体スイッチング素子で構成されたインバータを具備する電力変換器に適用され、パルス幅変調（以下「ＰＷＭ」と記述）を用いて当該インバータのスイッチング素子を制御する電力変換器の制御装置に関するものである。
【背景技術】
【０００２】
電力変換器において、インバータを構成する半導体スイッチ素子をＰＷＭ制御するためのスイッチングパターンを計算する代表的な手法の一つとして、キャリア比較法がある。このキャリア比較法では、インバータへの電圧指令と、キャリア波との大小が比較され、スイッチング制御のためのオン・オフのパターンが決定される。なお、キャリア波としては、三角波が用いられることが多い。
【０００３】
キャリア比較法を用いた電力変換器において、キャリア波の周波数(以下「キャリア周波数」と記述)は、電力変換器の特性を左右する重要なパラメータである。例えば、キャリア周波数を高く設定した場合には、インバータ出力電圧の精度・応答特性が向上し、負荷から発生する電磁騒音が減少するといった効果がある。その一方で、キャリア周波数を高く設定すると、半導体スイッチ素子のスイッチング損失が増加し、電磁ノイズが増加するといった問題も生起する。このため、インバータに接続される負荷の種類や、運転条件に合わせて適切なキャリア周波数を設定する必要がある。
【０００４】
インバータに接続される負荷の電流制御を行う場合、キャリア周波数を上げ出力電圧の更新周期を早めることで高い電流制御応答が達成される。一方、高キャリア周波数のまま電流制御を継続すると、インバータのスイッチング損失が増加する。すなわち電流制御の高応答化とインバータの損失抑制はトレードオフの関係にあり、どちらかを優先してキャリア周波数を決定する必要がある。
【０００５】
このような問題に対する技術として、例えば下記特許文献１に開示された技術がある。この特許文献１では、電流指令と検出電流との偏差（制御偏差）に応じてキャリア周波数を変更する技術が開示されている。具体的には、制御偏差が大きな場合には、キャリア周波数を上げて応答特性を向上させる制御が行われる。逆に、制御偏差が小さい、あるいはゼロの場合には、制御が良好に行われているという考え方に基づき、キャリア周波数を下げる制御が行われる。すなわち、制御応答が必要な場合にのみキャリア周波数を上げるという技術思想を有している。なお、この特許文献１では、さらに検出電流の変化率および電流指令の変化率を元に電流偏差の変化率に応じてキャリア周波数を変更する技術も開示されているが、目的とするところは同じである。
【０００６】
【特許文献１】特開２００１−３７２４８号公報
【発明の開示】
【発明が解決しようとする課題】
【０００７】
上述のように、上記特許文献１に示される技術（以下「従来技術」という）では、インバータの損失抑制と電流制御応答との両立が可能となる。しかしながら、この従来技術には、つぎに述べる課題が存在していた。
【０００８】
第１に、従来技術では、電流制御応答とインバータスイッチング損失との両立が十分達成されないという課題があった。この課題は、つぎのように説明することができる。インバータスイッチング損失は、電流に応じて値が変化するので、電流の絶対値が小さければ損失も小さくなり、キャリア周波数を上げ電流制御応答を向上させることが可能となる。しかしながら、従来技術の手法では、電流の制御偏差に応じてキャリア周波数を変更した場合には電流の大きさの情報が存在しなくなるため、この特徴を効果的に活用することができない。なお、従来技術では、キャリア周波数を変更する際に、電流指令やその変化率、検出電流やその変化率といった信号を参照するようにしているが、各々の信号を独立に参照してキャリア周波数を求め、それらを加算して実際に使用するキャリア周波数を決定するので、電力変換器の運転状況が十分に考慮されているとは言えない。
【０００９】
第２に、従来技術では、検出電流やその変化率を参照するため、検出電流をサンプリングするタイミングがキャリア波（三角波）の頂点と同期しない電流制御系では、電流リプルやノイズの影響を受け、安定したキャリア周波数が設定できないという課題があった。この結果、目的の性能が達成されないばかりか、キャリア周波数の設定そのものが変動し、最悪の場合には、電流制御系が不安定化するという問題点を内在していた。
【００１０】
本発明は、上記に鑑みてなされたものであって、キャリア周波数の変更を安定的に行うことができ、電流制御応答性とインバータ損失抑制との更なる両立を図ることができる電力変換器の制御装置を提供することを目的とする。
【課題を解決するための手段】
【００１１】
上述した課題を解決し、目的を達成するため、本発明にかかる電力変換器の制御装置は、複数の半導体スイッチング素子で構成されたインバータを具備する電力変換器に適用され、パルス幅変調を用いて前記インバータのスイッチング素子を制御する電力変換器の制御装置において、電流指令を発生する電流指令発生部と、前記電流指令に基づいて前記インバータに接続される負荷に所望の電流を流すための電圧指令を生成する電流制御器と、前記電流指令および前記電流指令の変化率に応じて前記インバータのパルス幅変調に用いるキャリア周波数指令を設定するキャリア周波数設定部と、前記電圧指令および前記キャリア周波数指令に基づいて前記パルス幅変調を行いスイッチングパターン指令を演算するスイッチングパターン演算部と、を備え、前記キャリア周波数設定部は、前記電流指令と前記電流指令の変化率とに応じたキャリア周波数を定義し、前記キャリア周波数の情報を前記スイッチングパターン演算部に出力することを特徴とする。
【発明の効果】
【００１２】
本発明にかかる電力変換器の制御装置によれば、インバータのパルス幅変調に用いるキャリア周波数指令を設定するキャリア周波数設定部には、電流指令と、この電流指令の変化率とに応じたキャリア周波数が定義され、キャリア周波数設定部は、このキャリア周波数の情報をスイッチングパターン演算部に出力し、スイッチングパターン演算部は、電圧指令およびキャリア周波数設定部から出力されたキャリア周波数指令に基づいてパルス幅変調を行うためのスイッチングパターン指令を演算してインバータに出力するので、キャリア周波数の変更を安定的に行うことができ、電流制御応答性向上とインバータ損失抑制との更なる両立を図ることができるという効果を奏する。
【発明を実施するための最良の形態】
【００１３】
以下に添付図面参照して、本発明にかかる電力変換器の制御装置の実施の形態を詳細に説明する。なお、以下に示す実施の形態により本発明が限定されるものではない。
【００１４】
実施の形態１．
（制御装置の構成）
まず、実施の形態１にかかる電力変換器の制御装置の構成、すなわち電力変換器を制御するための実施の形態１にかかる制御装置の構成について説明する。図１は、本発明の実施の形態１にかかる電力変換器の制御装置の構成を示す図である。なお、同図では、説明のため、インバータならびに、インバータに接続される負荷および電流検出器を併記している。
【００１５】
図１において、本実施の形態にかかる制御装置は、電流指令発生部１、電流指令発生部１の出力信号を入力とする電流制御部４およびキャリア周波数設定部１１、ならびに電流制御部４の出力信号およびキャリア周波数設定部１１の出力信号を入力とするスイッチングパターン演算部６を備えて構成される。また、キャリア周波数設定部１１は、電流指令発生部１の出力信号を入力とする電流指令変化率演算部１１ａ、ならびに電流指令発生部１の出力信号および電流指令変化率演算部１１ａの出力信号を各入力とするキャリア周波数マップ１１ｃを備えて構成される。なお、インバータ８には、スイッチングパターン演算部６の出力信号が入力される。また、インバータ８と、このインバータ８によって駆動される負荷１０との間には電流検出器９が設けられており、電流検出器９によって検出された信号は、電流制御部４にフィードバックされるよう構成されている。
【００１６】
（制御装置の動作）
つぎに、実施の形態１にかかる制御装置の動作について、図１の図面を参照して説明する。電流指令発生部１による電流指令２は、電流制御部４に入力される。また、電流制御部４には、検出電流信号３も入力され、電流制御部４は、所望の電流を負荷１０に流すための電圧指令５を生成してスイッチングパターン演算部６に出力する。スイッチングパターン演算部６は、入力された電圧指令５からパルス幅変調（ＰＷＭ）を行いスイッチングパターン指令７を生成してインバータ８に出力する。なお、本項で説明するスイッチングパターン指令７は、電圧指令とキャリア波との大小比較によってパターン生成を行う非同期ＰＷＭ方式を用いるものとする。インバータ８は、複数の半導体スイッチング素子で構成され、スイッチングパターン指令７に従って動作し、所望の電流を負荷１０に供給する。電流検出器９は、インバータ８から負荷１０に供給される電流を検出するとともに、検出した電流を電流制御部４にフィードバックする。キャリア周波数設定部１１は、電流指令２に基づき生成したキャリア周波数指令１２をスイッチングパターン演算部６に出力する。
【００１７】
上記のように構成された制御系により、スイッチングパターン演算部６では、入力されたキャリア周波数指令１２に従ったキャリア波でスイッチングパターン指令７が生成されることになる。また、このような制御系とすることで、電流指令情報に基づくキャリア周波数の変更が可能となる。さらに、この制御系では、キャリア周波数指令１２の生成に検出電流信号３を用いていないので、電流制御動作がキャリア波に同期しない場合でも安定したキャリア周波数の変更が可能となる。なお、この制御系では、電流検出器９が検出した検出電流信号３を電流制御部４にフィードバックする構成について例示したが、例えば電流制御部４内にて負荷電流の推定が可能な場合には、検出電流信号３によるフィードバック情報は不要である。
【００１８】
（キャリア周波数設定部の動作）
つぎに、キャリア周波数設定部１１の動作について図１〜図３の各図面を参照して説明する。なお、図２は、電流指令変化率演算部１１ａの一例および当該一例とする構成部の出力特性を示す図であり、図３は、電流指令変化率演算部１１ａの図２とは異なる一例および当該一例とする構成部の出力特性を示す図である。
【００１９】
上述のように、キャリア周波数設定部１１は、電流指令変化率演算部１１ａと、キャリア周波数マップ１１ｃとを備えて構成される。電流指令変化率演算部１１ａは、入力された電流指令２の変化率を演算してキャリア周波数マップ１１ｃに出力する。キャリア周波数マップ１１ｃは、入力された電流指令２および当該電流指令２の変化率に基づいて、キャリア周波数指令１２を生成して出力する。なお、キャリア周波数マップ１１ｃには、直交軸の一方（図１の例では縦軸）に表される電流指令と、直交軸の他方（図１の例では横軸）に表される電流指令変化率と、に応ずるキャリア周波数情報をマッピングした二次元マップであるキャリア周波数マップ（Ａ）（第１の二次元マップ）が保持されている。なお、これ以後の説明において、キャリア周波数マップ１１ｃに保持されたキャリア周波数マップ自身に言及する場合には、キャリア周波数マップ（Ａ）として記述する。
【００２０】
なお、電流指令変化率演算部１１ａによる電流指令変化率の演算は、微分動作となるので、ときには、過大な信号が発生する虞がある。そこで、本制御装置を電力変換器に実装する上で、過大な信号の発生が望ましくない場合は、特定の周波数以上ではゲインがカットされるようなフィルタを用いることが好ましい。この好ましいフィルタの例として、例えば下記（１−１）式のような伝達関数を有するフィルタを用いることができる。
【００２１】
Ｇ(ｓ)＝ｓ／（１＋Ｔ・ｓ）…（１−１）
なお、上式における「Ｔ」は帯域を決定するパラメータであり、「ｓ」はラプラス変数である。
【００２２】
このとき、電流指令変化率演算部１１ａは、図２（ａ）に示されるような変化率演算フィルタ１１２を有する構成となり、この電流指令変化率演算部１１ａによって得られる電流指令変化率の波形は、例えば図２（ｂ）に示されるような波形となる。
【００２３】
また、電流指令変化率演算部１１ａは、図３（ａ）に示されるように、変化率演算フィルタ１１２に加え、絶対値演算部１１３およびローパスフィルタ（以下「ＬＰＦ」と表記）１１４を備えるように構成してもよい。電流指令変化率演算部１１ａにおいて、変化率演算フィルタ１１２で電流指令変化率を求めた後、絶対値演算部１１３で電流指令変化率の絶対値を演算し、さらにＬＰＦ１１４でローパスフィルタ処理を実行する。この電流指令変化率演算部１１ａによれば、例えば図３（ｂ）に示すような振動気味の電流指令が入力された場合であっても、安定した電流指令変化率の算出が可能となる。
【００２４】
（キャリア周波数マップ）
つぎにキャリア周波数マップについて図４および図５を用いて説明する。ここで、図４は、キャリア周波数マップの持つ意味を電流指令変化率の軌跡との関係を用いて説明する図であり、図５は、キャリア周波数マップの図４とは異なる例を示す図である。
【００２５】
上述のように、キャリア周波数マップ１１ｃは、電流指令および電流指令の変化率に基づいて、キャリア周波数指令を出力する。この際、図４に示されるキャリア周波数マップ上のキャリア周波数がキャリア周波数指令として出力される。なお、図４の例では、電流指令および電流指令の変化率の値に応じて２種類のキャリア周波数ｆｃ１，ｆｃ２（ｆｃ１＜ｆｃ２）を選択することができる。
【００２６】
ところで、電力変換器において、一般的な電流制御を行う場合、電流指令変化率が小さければ低電流制御応答でも問題ない。このため、キャリア周波数は、低く設定できる。一方、電流が小さければスイッチング損失も小さくなるので、キャリア周波数は高く設定できる。この考え方に基づいたキャリア周波数マップを設定したものが、例えば図４である。例えば、図２（ｂ）のような電流指令の場合、図４に併記した軌跡を辿ることとなる。図４に示すキャリア周波数マップによれば、電流指令変化率が大きい場合に高いキャリア周波数ｆｃ２を設定できる。一方、電流指令が大きい領域では、低いキャリア周波数ｆｃ１を設定できるので、高電流制御応答とインバータ損失抑制とが実現できる。なお、図４では、選択可能なキャリア周波数を２種類としたが、選択可能なキャリア周波数をより増やしてもよい。
【００２７】
また、例えば図５では、電流制御応答指令が大きい領域において、さらに高いキャリア周波数（ｆｃ２＜ｆｃ３）の割り当てを可能としている。図５のキャリア周波数マップによれば、３種類のキャリア周波数（ｆｃ１＜ｆｃ２＜ｆｃ３）の中から所望の一つを選択することができる。
【００２８】
また、図４および図５の例では、キャリア周波数を段階的に変更するキャリア周波数マップを示したが、キャリア周波数の切り替えが連続的になるように制御してもよい。この制御により、キャリア周波数の変更に伴う電流の乱れやインバータ動作音の変化を軽減することができる。
【００２９】
以上説明したように、本実施の形態にかかる電力変換器の制御装置によれば、電流指令情報に応じたキャリア周波数の設定が可能となる。この制御により、インバータスイッチング損失の削減および高電流制御応答性向上の両立を実現することができる。また、電流指令情報を用いるとともに、電流指令と電流指令の変化率とを関係づけたキャリア周波数マップを用いた制御を行っているので、検出電流のサンプリングがキャリア波に同期しない場合でも安定したキャリア周波数の変更が可能となる。
【００３０】
なお、この実施の形態では、スイッチングパターン指令７を非同期ＰＷＭ方式に適用するとして説明してきたが、電圧指令５に同期したスイッチングパターン演算を行う同期ＰＷＭ方式にも適用することができる。例えばキャリア周波数の代わりに電圧指令５の一周期におけるパルス数を設定することで、同期ＰＷＭ方式に適用することができ、適切なスイッチング設定の実施が可能となる。
【００３１】
実施の形態２．
図６は、本発明の実施の形態２にかかる電力変換器の制御装置の構成を示す図である。特に、本実施の形態では、本実施の形態の効果をよりよく説明するため、負荷１０は、例えば交流モータなどの交流負荷を想定する。また、負荷１０を交流負荷としているため、本実施の形態では、図１に示す実施の形態１の構成において、さらに座標変換部１３，１５を設けるようにしている。その他、位相・周波数発生部１７を設けている点、およびキャリア周波数設定部１１にキャリア周波数マップ１１ｄを設けている点についても実施の形態１との相違点である。なお、その他の構成については、図１の構成と同一または同等であり、それらの構成部には同一の符号を付して示している。
【００３２】
検出電流信号３は、座標変換部１５によって２軸直交回転座標上の検出電流信号１６に変換されて電流制御に使用される。電圧指令５も同様に座標変換部１３によって交流の電圧指令１４に変換されてスイッチングパターン演算に用いられる。位相・周波数発生部１７は、位相信号１８および周波数信号１９を出力する。位相信号１８は、座標変換に用いられる。周波数信号１９は、位相信号１８を微分した信号に相当する。以後、説明の便宜上、位相・周波数発生部１７が出力する周波数信号１９の周波数を基本周波数とする。すなわち、インバータ８が供給する電力の周波数は、この基本周波数となる。
【００３３】
（キャリア周波数設定部の動作）
つぎに、実施の形態２にかかるキャリア周波数設定部１１の動作について図６を参照して説明する。実施の形態２にかかる制御装置では、図１に示す実施の形態１とは異なり、キャリア周波数設定部１１に周波数信号１９が入力される構成となっている。一般的に、交流負荷に電力を供給する場合、キャリア周波数は基本周波数より十分高く設定する必要があることが知られている。もし、十分なキャリア周波数が得られない場合、電流制御系が不安定化したり、交流負荷に余分な高周波電流が流れ交流負荷の損失やインバータの損失が増加したりするといった問題が発生する。このため、キャリア周波数を設定する際に、基本周波数の情報を反映させることが好ましい構成となる。
【００３４】
図６では、その一例としてキャリア周波数が３種類選択できる場合のキャリア周波数設定部１１の構成を示している。上述のように、電流指令変化率演算部１１ａおよび、キャリア周波数マップ（Ａ）を有するキャリア周波数マップ１１ｃは、実施の形態１において説明したものと同一または同等である。また、本実施の形態２においては、キャリア周波数マップ１１ｄが新たに追加されている。なお、以後の説明において、キャリア周波数マップ１１ｄに保持されたキャリア周波数マップ自身に言及する場合には、キャリア周波数マップ（Ｂ）として記述する。
【００３５】
キャリア周波数マップ１１ｄは、周波数信号１９を入力とし、キャリア周波数更新信号１１ｅを出力する動作部であり、キャリア周波数マップ１１ｄには、一次元のマップ（第１の一次元マップ）であり、ｆｃ１〜ｆｃ３の設定情報が記載されたキャリア周波数マップ（Ｂ）が保持されている。キャリア周波数更新信号１１ｅは、キャリア周波数マップ１１ｃ（キャリア周波数マップ（Ａ））におけるキャリア周波数選択肢ｆｃ１，ｆｃ２，ｆｃ３（ｆｃ１＜ｆｃ２＜ｆｃ３）の値である。すなわち、電流指令２および電流指令変化率１１ｂに基づきキャリア周波数マップ（Ａ）上の３種類のキャリア周波数の中から一つのキャリア周波数が選択されるが、その値は、キャリア周波数マップ（Ｂ）によって決定される。
【００３６】
上記のように構成された制御系により、基本周波数を反映させたキャリア周波数の設定が可能となる。また、このような制御系とすることで、基本周波数に応じた電流制御系の安定性を確保することができ、インバータ８の損失や負荷１０の損失またはその合計が最小化するようなキャリア周波数の設定が可能となる。
【００３７】
以上説明したように、本実施の形態にかかる電力変換器の制御装置によれば、電流指令情報および基本周波数に応じたキャリア周波数の設定が可能となる。この制御により、交流モータのような交流負荷に電力を供給する場合に、インバータスイッチング損失の削減および高電流制御応答性向上の両立はもとより、電流制御の安定性をも確保することが可能となる。
【００３８】
なお、この実施の形態では、キャリア周波数マップ１１ｄから出力されるキャリア周波数更新信号１１ｅが、キャリア周波数マップ（Ａ）におけるキャリア周波数選択肢ｆｃ１，ｆｃ２，ｆｃ３の値として説明したが、必ずしも選択肢の値である必要はなく、キャリア周波数更新信号１１ｅとして示される値に基づき、その値に最も近いものをキャリア周波数マップ１１ｃ側で選択するような制御系であってもよいことは無論である。
【００３９】
実施の形態３．
図７は、本発明の実施の形態３にかかる電力変換器の制御装置の構成を示す図である。本実施の形態は、電流制御系の応答特性を所定値に保持しつつ、キャリア周波数を低減することでインバータのスイッチング損失を削減する実施の形態を示すものである。
【００４０】
本実施の形態では、図１に示す実施の形態１の構成に加えて、さらに電流制御応答設定部２０を設けるとともに、キャリア周波数設定部１１内にキャリア周波数マップ１１ｆおよび電流制御応答指令補正信号設定部１１ｇを設けるようにしている。なお、その他の構成については、図１の構成と同一または同等であり、それらの構成部には同一の符号を付して示している。
【００４１】
電流制御応答設定部２０は、制御装置全体の動作状況等に応じた適切な電流制御応答指令２１を設定して出力する。この電流制御応答指令２１は、キャリア周波数設定部１１に入力され、キャリア周波数の設定に用いられる。また、電流制御応答指令２１は、電流制御部４を制御するための電流制御応答指令としても用いられる。ただし、電流制御応答指令２１そのものが電流制御部４に入力されるのではなく、キャリア周波数指令１２に応じて補正された補正後の電流制御応答指令２２が電流制御部４に入力される構成となっている。
【００４２】
（キャリア周波数設定部の動作）
つぎに、実施の形態３にかかるキャリア周波数設定部１１の動作について、図７を参照して説明する。図７において、キャリア周波数マップ１１ｆは、一次元のマップ（第２の一次元のマップ）であり、例えばｆｃ１，ｆｃ２（ｆｃ１＜ｆｃ２）の２種類のキャリア周波数が記載されたキャリア周波数マップ（Ｃ）を保持している。なお、キャリア周波数マップ（Ａ）およびキャリア周波数マップ（Ｂ）のときと同様に、キャリア周波数マップ１１ｆに保持されたキャリア周波数マップ自身に言及する場合には、キャリア周波数マップ（Ｃ）として記述する。
【００４３】
ここで、キャリア周波数ｆｃ２を元々の電流制御応答指令２１を満足するキャリア周波数に設定すれば、電流指令変化率が高い場合に所定の電流制御応答特性が得られる。一方、電流指令変化率が低い場合には、所定の電流制御応答特性が要求されていない状況と判断することができる。このとき、低いキャリア周波数ｆｃ１を使用することで、インバータ８のスイッチング損失を削減することができる。ただし、低いキャリア周波数ｆｃ１を選択するときに過剰な電流制御応答指令とならないよう、留意する必要がある。そこで、この実施の形態では、キャリア周波数マップ１１ｃの出力であるキャリア周波数指令１２に応じて電流制御応答指令補正信号１１ｈを出力する電流制御応答指令補正信号設定部１１ｇを用いるとともに、元々の電流制御応答指令２１から電流制御応答指令補正信号１１ｈの減算を行って電流制御部４に出力するようにして、低いキャリア周波数ｆｃ１が選択されたときに、過剰な電流制御応答指令とならないようにしている。
【００４４】
以上説明したように、本実施の形態にかかる電力変換器の制御装置によれば、電流制御系の応答特性を所定値に保持しつつ、キャリア周波数を低減することで、インバータのスイッチング損失の削減が可能となる。例えば負荷１０が、位置や速度の制御を要求されるアクチュエータやモータである場合、電流指令発生部１には位置制御系や速度制御系が含まれる。この場合、下位ループとなる電流制御系の応答特性が所定値を維持できるものであれば、上位ループである位置制御系および速度制御系の設計が容易になる。
【００４５】
実施の形態４．
図８は、本発明の実施の形態４にかかる電力変換器の制御装置の構成を示す図である。図６に示す実施の形態２では、電流指令情報を基本として、基本周波数情報を用いてキャリア周波数を設定する手法について説明した。また、図７に示す実施の形態３では、電流指令情報を基本として、電流制御応答指令情報を併せて用いてキャリア周波数を設定する手法について説明した。これらの基本周波数情報および電流制御応答指令情報は、無論併用して用いることも可能である。そこで、本実施の形態では、電流指令情報を基本として、基本周波数情報および電流制御応答指令情報をさらに用いる制御系を構成している。なお、図８では、３種類のキャリア周波数ｆｃ１，ｆｃ２，ｆｃ３（ｆｃ１＜ｆｃ２＜ｆｃ３）が選択できる制御系を一例として構成しており、図６および図７に示す構成と同一または同等である構成部には同一の符号を付して示している。
【００４６】
図８において、キャリア周波数設定部１１には、３つのキャリア周波数マップＤ（ｆｃ１設定用、ｆｃ２設定用、ｆｃ３設定用）が設けられている。キャリア周波数マップ１１ｉは、直交軸の一方（図８の例では縦軸）に基本周波数として表される周波数信号１９と、直交軸の他方（図８の例では横軸）に表される電流制御応答指令２２と、に応ずるキャリア周波数情報をマッピングした二次元マップ（第２の二次元マップ）である。キャリア周波数マップ１１ｉでは、周波数信号１９および電流制御応答指令２１を入力とし、キャリア周波数マップＤが参照され、キャリア周波数マップ１１ｃ（すなわち、キャリア周波数マップ（Ａ））のｆｃ１〜ｆｃ３に割り当てるキャリア周波数値が決定される。なお、その他の各ブロックの動作は、実施の形態２，３で説明した動作と同一または同等であり、その詳細な説明を省略する。
【００４７】
本実施の形態にかかる電力変換器の制御装置によれば、電流制御系の応答特性を所定値に保持しつつ、電流制御系の安定性を確保し、さらにキャリア周波数の低減を適切に行うことが可能となる。
【００４８】
実施の形態５．
図９は、本発明の実施の形態５にかかる電力変換器の制御装置の構成を示す図である。図１に示す実施の形態１では、キャリア周波数設定部１１のキャリア周波数マップ１１ｃに、予めキャリア周波数マップ（Ａ）を設定する必要がある。実施の形態５では、このキャリア周波数マップ（Ａ）を自動的に設定・調整する手法について説明する。図９に示すキャリア周波数設定部１１では、図１に示す実施の形態１の構成に加えて、さらに軌跡記録マップ１１ｊおよび軌跡情報解析部１１ｋを設けるようにしている。なお、その他の構成については、図１の構成と同一または同等であり、それらの構成部には同一の符号を付して示している。
【００４９】
つぎに、軌跡記録マップ１１ｊおよび軌跡情報解析部１１ｋの動作について、図９〜図１２の図面を参照して詳細に説明する。なお、図１０は、軌跡記録マップの一例を示す図であり、図１１は、軌跡記録マップを調整することで生成されたキャリア周波数マップの一例を示す図である。また、図１２は、電流指令および電流指令変化率を用いた軌跡記録マップの動作説明図である。
【００５０】
軌跡記録マップ１１ｊは、直交軸の一方（図１０の例では縦軸）に表される電流指令と、直交軸の他方（図１０の例では横軸）に表される電流指令変化率と、の関係を表す軌跡の推移および当該軌跡の所定の領域における通過回数（滞留時間と同義）を記録（マッピング）した二次元マップである。なお、ここでいう所定の領域とは、図１０の破線部で囲まれるような、直交軸の一方側における所定幅と他方側における所定幅とによって決定される区域である。
【００５１】
ここで、軌跡記録マップ１１ｊに入力される電流指令および電流指令変化率が、例えば図１２に示すような波形であったとすると、軌跡記録マップにおける軌跡の推移は、図１０（ａ）に示すものとなる。軌跡記録マップ１１ｊは、電流制御開始後、所定の期間Δｔ毎に軌跡記録マップ上の領域（破線部で囲まれる領域）を通過した回数（滞留時間に相当）を区間ごとにカウントする。なお、このとき生成された軌跡記録マップは、図１０（ｂ）に示すものとなる。
【００５２】
図１０（ｂ）に示す例では、電流指令および電流指令変化率が共に小さい領域Ｒ１の通過回数は３であり、電流指令が小さく電流指令変化率が大きい領域Ｒ２の通過回数は２であり、電流指令が大きく電流指令変化率が小さい領域Ｒ４の通過回数は１１である。なお、このカウント値は、それぞれ図１２に示す各領域に対応する箇所（丸印）をカウントすることで得られる。ここで、電流指令が大きく電流指令変化率が小さい領域における通過回数が多ければ、その領域はキャリア周波数調整に適した領域となる。例えば、図１０（ｂ）に示す領域Ｒ４は、キャリア周波数調整に適した領域である。
【００５３】
軌跡情報解析部１１ｋは、軌跡記録マップ１１ｊから前述のカウント値を抽出し、当該カウント値に応じてキャリア周波数マップ１１ｃに設けられたキャリア周波数マップ（Ａ）のキャリア周波数情報を変更する。
【００５４】
図１１（ａ）は、調整前（変更前）のキャリア周波数マップ（Ａ）であり、全ての領域において、ある決められたキャリア周波数（同図の例では、５［ｋＨｚ］）に設定されている。一方、調整後のキャリア周波数マップ（Ａ）では、キャリア周波数変更に適した領域（同図の太線部で示される領域）では、調整前のキャリア周波数よりも小さい所定のキャリア周波数（同図の例では、４［ｋＨｚ］）に変更されている。なお、キャリア周波数の設定に関してであるが、一旦設定したキャリア周波数をΔｔより長い所定の期間で一度リセットし、カウント値を再度計算するようにしてキャリア周波数の再設定を行ってもよい。こうすることで、負荷の運転状況に柔軟に対応させた適切なキャリア周波数の設定が可能となる。
【００５５】
以上説明したように、本実施の形態にかかる電力変換器の制御装置によれば、実際の運転を反映させたキャリア周波数マップを設定することができ、また、一旦設定したキャリア周波数マップを自動的に調整することができるので、キャリア周波数マップの設定および調整に要する労力の軽減が可能となる。例えば、電流制御を行う際に、電流指令および電流指令変化率の軌跡を記録するとともに、電流指令が大きく電流指令変化率が小さい領域の中で長時間に渡って滞留する領域を抽出して、キャリア周波数を下げる調整を自動的に行うことができる。
【００５６】
なお、本実施の形態では、電流指令が大きく電流指令変化率が小さい領域において、キャリア周波数を下げる調整手法について示したが、この調整手法に限定されるものではない。これとは逆に、電流制御応答が必要な領域に対して、キャリア周波数を上げる調整を行ってもよい。
【００５７】
また、本実施の形態では、キャリア周波数マップ（Ａ）を自動調整するための構成を実施の形態１のキャリア周波数設定部に適用する実施の形態について示したが、本構成を実施の形態２〜４に示すキャリア周波数設定部に適用してもよいことは無論である。
【産業上の利用可能性】
【００５８】
以上のように、本発明にかかる電力変換器の制御装置は、安定的なキャリア周波数の変更を可能とし、電流制御応答性とインバータ損失抑制との更なる両立を図ることができる発明として有用である。
【図面の簡単な説明】
【００５９】
【図１】図１は、本発明の実施の形態１にかかる電力変換器の制御装置の構成を示す図である。
【図２】図２は、電流指令変化率演算部の一例およびその出力特性を示す図である。
【図３】図３は、電流指令変化率演算部の図２とは異なる一例およびその出力特性を示す図である。
【図４】図４は、キャリア周波数マップの持つ意味を電流指令変化率の軌跡との関係を用いて説明する図である。
【図５】図５は、キャリア周波数マップの図４とは異なる例を示す図である。
【図６】図６は、本発明の実施の形態２にかかる電力変換器の制御装置の構成を示す図である。
【図７】図７は、本発明の実施の形態３にかかる電力変換器の制御装置の構成を示す図である。
【図８】図８は、本発明の実施の形態４にかかる電力変換器の制御装置の構成を示す図である。
【図９】図９は、本発明の実施の形態５にかかる電力変換器の制御装置の構成を示す図である。
【図１０】図１０は、軌跡記録マップの一例を示す図である。
【図１１】図１１は、軌跡記録マップを調整することで生成されたキャリア周波数マップの一例を示す図である。
【図１２】図１２は、電流指令および電流指令変化率を用いた軌跡記録マップの動作説明図である。
【符号の説明】
【００６０】
１  電流指令発生部
２  電流指令
３  検出電流信号
４  電流制御部
５  電圧指令
６  スイッチングパターン演算部
７  スイッチングパターン指令
８  電力変換器（インバータ）
９  電流検出器
１０  負荷
１１  キャリア周波数設定部
１１ａ  電流指令変化率演算部
１１ｂ  電流指令変化率
１１ｃ  キャリア周波数マップ（Ａ）
１１ｄ  キャリア周波数マップ（Ｂ）
１１ｅ  キャリア周波数更新信号
１１ｆ  キャリア周波数マップ（Ｃ）
１１ｇ  電流制御応答指令補正信号設定部
１１ｈ  電流制御応答指令補正信号
１１ｉ  キャリア周波数マップ（Ｄ）
１１ｊ  軌跡記録マップ
１１ｋ  軌跡情報解析部
１２  キャリア周波数指令
１３  座標変換部（回転座標から静止座標への変換）
１４  電圧指令（交流）
１５  座標変換部（静止座標から回転座標への変換）
１６  検出電流信号（座標変換後）
１７  位相・周波数発生部
１８  位相信号
１９  周波数信号
２０  電流制御応答設定部
２１  電流制御応答指令
２２  電流制御応答指令（補正後）
１１２  変化率演算フィルタ
１１３  絶対値演算部
１１５  ローパスフィルタ（ＬＰＦ）
【国際調査報告】
2009090755.tif 000015
2009090755.tif 000016
2009090755.tif 000017
2009090755.tif 000018